(57)【特許請求の範囲】
【請求項１】
段ボール等の厚紙からなり、方形状の底壁、該底壁の左右に折線を介して連接され、直角に起立する左右の側壁、前記底壁の前部に折線を介して連接される前壁及び該前壁の前記底壁の反対側に折線を介して連接される天壁、前記底壁の後部に折線を介して連接され、直角に起立する後壁、並びに前記左右の側壁の夫々の前部に折線を介して連接される内フラップ及び外フラップとからなる天面及び前面開閉型の移送箱本体と、前記移送箱本体内にセットする、段ボール等の厚紙からなり、前記移送箱本体における左右の側壁に沿って立ち上がる左右の支持部の高さ方向の中間位置に、夫々から内向きに直角に突出する一対の棚片をもって形成した棚を、食品容器の厚味よりも大きな間隔をとって複数設け、更に前記支持部の最上部に左右の支持部に跨がる保冷剤載置部を設けると共に、該保冷剤載置部に冷気流通孔を設けた棚部材とからなる詰込済食品容器の移送箱。
【請求項２】
移送箱本体が、一枚の段ボール等の厚紙を所定の展開形状に裁断してなり、方形状の底壁、該底壁の左右に折線を介して連接された左右の側壁、前記底壁の前部に折線を介して連接される前壁及び該前壁の前記底壁の反対側に折線を介して連接される天壁、前記底壁の後部に折線を介して連接される後壁、並びに前記左右の側壁の夫々の前部に折線を介して連接される内フラップ及び外フラップとからなり、また前記天壁の前記前壁と反対側に折線を介して差し込み用フラップを連接し、また前記後壁の前記天壁と反対側に、折線を介して該後壁の内面に折り重ねる補強片を連接し、更にまた、前記左右の側壁の夫々の前記底壁と反対側に、折線を介して内側に折り曲げる補強片を連接し、更に前記左右の側壁の夫々の前記内フラップと外フラップの反対側に、折線を介して係止フラップを連接し、該係止フラップの一方に三角状の係合突起を、もう一方に前記係合突起が係合する三角状の係合凹部を設けてなる移送箱本体である請求項１記載の詰込済食品容器の移送箱。
【請求項３】
棚部材が、一枚の段ボール等の厚紙を所定の展開形状に裁断してなり、冷気流通孔を設けた方形状の保冷剤載置部の左右に折線を介して方形状の左右の支持部を連接し、該左右の支持部の夫々における前記保冷剤載置部側の位置に、切り起こす一対の棚片を設けると共に、該一対の棚片から食品容器の厚味よりも大きな間隔をとって、切り起こす一対の棚片を設けてなり、更に前記左右の一対の支持部の夫々における前記保冷剤載置部側の部分に、前記折線から保冷剤載置部に食い込む突き当片を連接してなる棚部材である請求項１記載の詰込済食品容器の移送箱。
【発明の詳細な説明】
【技術分野】
【０００１】
本発明は、詰込済食品容器の移送箱に関し、おせち料理等の食品を主に二段、三段の重箱等の食品容器に詰め込んだ状態において移送するとき、重箱等の食品容器の移送箱への出し入れを簡単、迅速に行うことができると共に、移送中における移送箱内の保冷を充分に且つ長時間にわたり維持することができるようになした詰込済食品容器の移送箱に係わる。
【背景技術】
【０００２】
食品、またその内の一つであるおせち料理は、従来各家庭において作ることが一般的であったが、最近になって食品製造業者が作ったものを購入することも増えてきている。そして、おせち料理の場合には、料理を重箱或いは蓋付きの平箱に詰め込んだ状態において、これを食品製造業者から配送業者を介して購入注文主に送り届けるようにしている。
【０００３】
斯かる場合において、食品製造業者或いは配送業者は、先ず料理を詰め込んだ重箱或いは蓋付きの平箱を移送箱内に収納しなければならないが、これが相当に面倒であった。即ち、先ず移送箱は直方体形状をなし、出し入れ用の開閉部が天面部にあることと、重箱は何段重かに重ねてあり、これを一括りにしなければ持ち運べないことから風呂敷等によって包み込まなければならず、手順として先ず風呂敷等によって重箱を包み込む作業が必要であり、そしてその後、移送箱の天面部の蓋を開いて風呂敷等によって包み込んだ重箱を上側から移送箱内に入れ込む作業と、入れた風呂敷等によって包み込んだ重箱の上に保冷剤を載せる作業と、移送箱の蓋を閉じる作業とが必要である。また、移送箱から重箱を取り出すときには、前記と逆の手順によって行うものである。またこれらの作業は蓋付きの平箱を複数重ねて一緒に送る場合にも同様である。
【０００４】
このように、先ず重箱等の食品容器を風呂敷等によって包み込む作業が必要であり、また移送箱への出し入れの作業にも手間取ること等から、大量に処理しなければならないときには時間的に大きなロスとなる。また、移送箱の他に風呂敷等の別の部材も必要である。
【０００５】
また、移送箱内において風呂敷等によって包み込んだ重箱等の食品容器の上に保冷剤が載せられるが、重箱等の食品容器はその全体をすっぽり風呂敷等によって覆われているから、保冷剤による冷気が直接当たらず、且つまた重箱の場合は上下の各段、或いは蓋付きの平箱の場合は上下の箱がそれら相互の間において全く隙間がないから、冷却された空気が入り込むことがない。したがって、重箱の場合は全ての段において、また蓋付きの平箱の場合は積み重ねた全部の箱を均等に且つ充分に冷却させることができない。よって、移送中における食品の品質の低下を避けることができなかった。
【発明の概要】
【発明が解決しようとする課題】
【０００６】
本発明は上記の点に鑑みなされたものであって、おせち料理等の食品を主に二段、三段の重箱等の食品容器に詰め込んだ状態において移送するとき、重箱等の食品容器の移送箱への出し入れを簡単、迅速に行うことができると共に、移送中における移送箱内の保冷を充分に且つ長時間にわたり維持することができるようになした詰込済食品容器の移送箱を提供しようとするものである。
【課題を解決するための手段】
【０００７】
而して、本発明の要旨とするところは、段ボール等の厚紙からなり、方形状の底壁、該底壁の左右に折線を介して連接され、直角に起立する左右の側壁、前記底壁の前部に折線を介して連接される前壁及び該前壁の前記底壁の反対側に折線を介して連接される天壁、前記底壁の後部に折線を介して連接され、直角に起立する後壁、並びに前記左右の側壁の夫々の前部に折線を介して連接される内フラップ及び外フラップとからなる天面及び前面開閉型の移送箱本体と、前記移送箱本体内にセットする、段ボール等の厚紙からなり、前記移送箱本体における左右の側壁に沿って立ち上がる左右の支持部の高さ方向の中間位置に、夫々から内向きに直角に突出する一対の棚片をもって形成した棚を、食品容器の厚味よりも大きな間隔をとって複数設け、更に前記支持部の最上部に左右の支持部に跨がる保冷剤載置部を設けると共に、該保冷剤載置部に冷気流通孔を設けた棚部材とからなる詰込済食品容器の移送箱にある
【０００８】
また、上記構成において、移送箱本体としては、一枚の段ボール等の厚紙を所定の展開形状に裁断してなり、方形状の底壁、該底壁の左右に折線を介して連接された左右の側壁、前記底壁の前部に折線を介して連接される前壁及び該前壁の前記底壁の反対側に折線を介して連接される天壁、前記底壁の後部に折線を介して連接される後壁、並びに前記左右の側壁の夫々の前部に折線を介して連接される内フラップ及び外フラップとからなり、また前記天壁の前記前壁と反対側に折線を介して差し込み用フラップを連接し、また前記後壁の前記天壁と反対側に、折線を介して該後壁の内面に折り重ねる補強片を連接し、更にまた、前記左右の側壁の夫々の前記底壁と反対側に、折線を介して内側に折り曲げる補強片を連接し、更に前記左右の側壁の夫々の前記内フラップと外フラップの反対側に、折線を介して係止フラップを連接し、該係止フラップの一方に三角状の係合突起を、もう一方に前記係合突起が係合する三角状の係合凹部を設けてなる移送箱本体としてもよい。
【０００９】
また、上記構成において、棚部材としては、一枚の段ボール等の厚紙を所定の展開形状に裁断してなり、冷気流通孔を設けた方形状の保冷剤載置部の左右に折線を介して方形状の左右の支持部を連接し、該左右の支持部の夫々における前記保冷剤載置部側の位置に、切り起こす一対の棚片を設けると共に、該一対の棚片から食品容器の厚味よりも大きな間隔をとって、切り起こす一対の棚片を設けてなり、更に前記左右の一対の支持部の夫々における前記保冷剤載置部側の部分に、前記折線から保冷剤載置部に食い込む突き当片を連接してなる棚部材としてもよい。
【発明の効果】
【００１０】
本発明は、上記の如き構成であり、移送箱本体内に棚部材をセットし、食品を詰め込んだ状態の重箱等の食品容器を該棚部材の上下の各棚に収納することができるようにする一方、移送箱本体を天面及び前面開閉型に構成したことにより、従来の如く風呂敷等を用い、そしてこれに食品容器を包み込む作業が必要なく、また、一体となった前壁と天壁を開いて手前側から水平方向に食品容器を出し入れすることができるから、食品容器の移送箱への収納や取り出しを簡単、迅速に行うことができるものである。
【００１１】
また、棚部材の保冷剤載置部に設けた冷気流通孔を通して保冷剤による冷気は、食品容器の厚味よりも大きな間隔をとっている各棚間に流入し、そして各棚はこれを受ける食品容器の左右の端のみを載せる一対の棚片をもって形成しているから、各棚の食品容器は、その下面においても冷気に当たることになる。よって、移送箱内に収納された各棚の食品容器は、全てその周囲を冷気で覆われることになり、移送中において長時間にわたり充分な保冷効果を保つことができるものである。
【００１２】
また、請求項２の構成、即ち移送箱本体を、一枚の段ボール等の厚紙を裁断して図５に示す展開形状になし、また請求項３の構成、即ち棚部材を、同様に一枚の段ボール等の厚紙を裁断して図７に示す展開形状になした場合には、糊等の接着剤を使用することなく、簡単に立体形状に組み立てて使用可能状態とすることができるものである。したがって、不使用時は偏平な状態とし、いくつも積み重ねて保管することができるものである。
【００１３】
また、食品容器として、蓋を被せた平箱又は重箱を使用した場合には、例えば元旦におせち料理が残った場合などに、蓋を被せたまま冷蔵庫に収納することができ、翌日にこれを食することができ、大変便利である。
【図面の簡単な説明】
【００１４】
【図１】本発明の実施形態に係る詰込済食品容器の移送箱の前面側から看た斜視図である。
【図２】同後面側から看た斜視図である。
【図３】同前壁及び天壁を開いた状態における前面側から看た斜視図である。
【図４】同前壁及び天壁並びに内外フラップを開いた状態における前面側から看た斜視図である。
【図５】移送箱本体の展開平面図である。
【図６】移送箱本体の組み立て完了時の状態の前面側から看た斜視図である。
【図７】棚部材の展開平面図である。
【図８】棚部材の組み立て完了時の状態の前面側から看た斜視図である。
【発明を実施するための形態】
【００１５】
以下、本発明を実施するための形態について、図面を参照して説明する。
【００１６】
図中、１は詰込済食品容器の移送箱であり、後記移送箱本体と該移送箱本体内にセットする棚部材とからなるものである。
【００１７】
２は移送箱本体である。また、該移送箱本体２は、天面及び前面開閉型に構成されるものであり、段ボール等の厚紙からなり、方形状の底壁３、該底壁３の左右に折線４、４を介して連接され、直角に起立する左右の側壁５、６、前記底壁３の前部に折線７を介して連接される前壁８及び該前壁８の前記底壁３の反対側に折線９を介して連接される天壁１０、前記底壁３の後部に折線１１を介して連接され、直角に起立する後壁１２、並びに前記左右の側壁５、６の夫々の前部に折線１３、１３を介して連接される内フラップ１４及び外フラップ１５とからなるものである。また、前記天壁１０の前記前壁８と反対側には折線１６を介して差し込み用フラップ１７が連接されている。
【００１８】
また、該移送箱本体２は、図５に示した形状に段ボール等の厚紙を裁断し、これを組み立てて使用可能状態にするものである。
【００１９】
ここで、図５に示した移送箱本体２について説明すると、方形状の底壁３、該底壁３の左右に折線４、４を介して連接される左右の側壁５、６、前記底壁３の前部に折線７を介して連接される前壁８及び該前壁８の前記底壁３の反対側に折線９を介して連接される天壁１０、前記底壁３の後部に折線１１を介して連接される後壁１２、並びに前記左右の側壁５、６の夫々の前部に折線１３、１３を介して連接される内フラップ１４及び外フラップ１５とからなるものである。また、前記天壁１０の前記前壁８と反対側には折線１６を介して差し込み用フラップ１７が連接され、また前記後壁１２の前記天壁３と反対側には、折線１８、１８を介して該後壁１２の内面に折り重ねる補強片１９が連接されている。また、前記左右の側壁５、６の夫々の前記底壁３と反対側には、折線２０、２０を介して内側に折り曲げる補強片２１、２１が連接され、更に前記左右の側壁５、６の夫々の前記内フラップ１４と外フラップ１５の反対側には、折線２２、２２を介して係止フラップ２３、２４が連接されている。尚、２３ａは前記係止フラップ２３に設けた三角状の係合突起、２４ａは前記係止フラップ２４に設けた、前記三角状の係合突起２３ａが係合する三角状の係合凹部である。
【００２０】
また、上記移送箱本体２を組み立てるときには、先ず左右の支持部５、６を折線４、４から直角に起立させ、次に係止フラップ２３、２４を折線２２、２３から夫々直角に折り曲げ、夫々の三角状の係合突起２３ａと三角状の係合凹部２４ａを係合させる。次に後壁１２を折線１１から直角に起立させると共に、更に折線１８、１８から補強片１９を内側に折り曲げ、係止フラップ２３、２４を挟んだ状態において後壁１２の内面に折り重ねる。これにより図６に示す如く組み立てが完了するものである。
【００２１】
２５は棚部材である。また、該棚部材２５は、段ボール等の厚紙からなり、前記移送箱本体２における左右の側壁５、６に沿って立ち上がる左右の支持部２６、２７の高さ方向の中間位置に、夫々から内向きに直角に突出する一対の棚片２８、２９をもって形成した棚３０を、食品容器の厚味より大きな間隔をとって複数（本実施形態では２段）設け、更に前記支持部２６、２７の最上部に左右の支持部２６、２７に跨がる保冷剤載置部３１を設けると共に、該保冷剤載置部３１に冷気流通孔３２を設けてなるものである。
【００２２】
また、該棚部材２５は、図７に示した形状に一枚の段ボール等の厚紙を裁断し、これを組み立てて使用可能状態にするものである。
【００２３】
ここで図７に示した棚部材２５について説明すると、冷気流通孔３２を設けた方形状の保冷剤載置部３１の左右に折線３３、３４を介して方形状の左右の支持部２６、２７を連接し、該左右の支持部２６、２７の夫々における前記保冷剤載置部３１側の位置に、切り起こす一対の棚片２８、２９を設けると共に、該一対の棚片２８、２９から食品容器の厚味よりも大きな間隔をとって、切り起こす一対の棚片２８、２９を設けてなるものである。また、前記左右の一対の支持部２６、２７の夫々における前記保冷剤載置部３１側の部分には、前記折線３３、３４から保冷剤載置部３１に食い込む、上下方向のズレを防止するための突き当片３５、３６を連接している。尚、３７、３８は前記一対の棚片２８、２９の基部に設けた折線である。
【００２４】
また、上記棚部材２５を組み立てるときには、先ず左右の支持部２６、２７を夫々折線３３、３４から下側に直角に折り曲げ、次に一対の棚片２８、２９を夫々内向きに直角に折り曲げるものである。これにより図８に示す如く組み立てが完了するものである。また、その他図において３９は保冷剤、４０は詰込済食品容器を示す。４１は折線であり、これは保冷剤載置部３１の直ぐ下に位置する棚片２８，２９に詰込済食品容器４０を収納する際に、折線４１から上方に折り曲げることにより開口部を大きくし、挿入し易くするものである。
【００２５】
而して、本詰込済食品容器の移送箱１を使用するときには、前記の如くして組み立てた移送箱本体２内に棚部材２５をセットするものである。この状態は図４に示す通りであり、これに移送のために詰込済食品容器４０を入れるときには、該詰込済食品容器４０の夫々を手前側から棚部材２５における一対の棚片２８、２９をもって形成される棚３０の夫々に押し込むものである。尚、このときには、食品容器が重箱である場合には夫々の開口部を蓋で覆うか或いはラップを被せることが望ましい。これによって該詰込済食品容器４０は移送箱本体２内に複数段に収納される。そして、棚部材２５における保冷剤載置部３１に保冷剤３９を載せた後、内フラップ１４と外フラップ１５を内側に折り曲げて重ね合わせ、最後に前壁８を直角に折り曲げると共に更に天壁１０を直角に折り曲げ、その端に連接した差し込み用フラップ１７を後壁１２側において箱内に差し込んで完了するものである。また、詰込済食品容器４０を取り出すときには、前記と逆の手順によって行うものである。
【００２６】
本実施形態は、上記の如く、移送箱本体２内に棚部材２５をセットし、食品を詰め込んだ状態の重箱等の食品容器４０を該棚部材２５の上下の各棚３０に収納することができるようにする一方、移送箱本体２を天面及び前面開閉型に構成したものであるから、従来の如く風呂敷等を用いる必要がなく、したがってまた、これに食品容器を包み込む作業も不要である。また、一体となった前壁８と天壁１０を開いて手前側から水平方向に食品容器４０を出し入れすることができるから、食品容器４０の移送箱１への収納や取り出しを簡単、迅速に行うことができるものである。そして、このように特に食品容器の移送箱への収納作業の時間的ロスを大幅に軽減できることは、大量に食品を販売する業者にとって福音となるものである。また、移送箱１は紙製であるからコストが安上がりであり、また商品購入者はこれを廃棄するときには一般ゴミとして廃棄することができ、廃棄も楽である。
【００２７】
また、棚部材２５の保冷剤載置部３１に設けた冷気流通孔３２を通して保冷剤３９による冷気は、食品容器４０の厚味よりも大きな間隔をとっている各棚３０間に流入し、そして各棚３０はこれを受ける食品容器４０の左右の端のみを載せる一対の棚片２８、２９をもって形成しているから、各棚３０の食品容器４０は、その下面においても冷気に当たることになる。よって、移送箱１内に収納された各棚３０の食品容器４０は、全てその周囲を冷気で覆われることになり、移送中において長時間にわたり充分な保冷効果を保つことができるものである。
【００２８】
また、移送箱本体２を、一枚の段ボール等の厚紙を裁断して図５に示す展開形状になし、また棚部材２５を、同様に一枚の段ボール等の厚紙を裁断して図７に示す展開形状になした場合には、糊等の接着剤を使用することなく、簡単に立体形状に組み立てて使用可能状態とすることができるものである。したがって、不使用時は偏平な状態とし、いくつも積み重ねて保管することができるものである。
【符号の説明】
【００２９】
１  詰込済食品容器の移送箱
２  移送箱本体
３  底壁
５、６  左右の側壁
８  前壁
１０  天壁
１２  後壁
１４、１５  内外フラップ
１７  差し込み用フラップ
２３、２４  係止フラップ
２５  棚部材
２６、２７  左右の支持部
２８、２９  一対の棚片
３０  棚
３１  保冷剤載置部
３２  冷気流通孔
【図１】
0005499119.tif 000002
【図２】
0005499119.tif 000003
【図３】
0005499119.tif 000004
【図４】
0005499119.tif 000005
【図５】
0005499119.tif 000006
【図６】
0005499119.tif 000007
【図７】
0005499119.tif 000008
【図８】
0005499119.tif 000009